(57)【要約】【課題】ケーブル用コネクタにおけるケーブルの着脱方向に沿った全長を縮小するように、ケーブルの接続端部の被係合部のロック位置を設定できること。【解決手段】フレキシブル配線基板１０の補強板１６における円弧状の一対のロック用突起部１６Ｐは、その一方の裾が、補強板１６における一方の端面を含む平面と共通の平面内にあるように形成され、フレキシブル配線基板１０の接続端部が、ケーブル収容部２２Ａに対しロック状態とされる場合、シェル部材２４と一体に形成されるロック／アンロック用可動片２４ＲＫおよび２４ＬＫの鉤状部２４ＲＫａ，２４ＬＫａが、それぞれ、ケーブル収容部２２Ａの内面と補強板１６の側面との間を通過してロック用突起部１６Ｐにおける他方の裾の位置近傍に当接するもの。【選択図】図１
2011258343.tif 000002
【特許請求の範囲】
【請求項１】
一方の端部に開口部を有しケーブルの接続端部を着脱可能に収容するケーブル収容部を有するケーブル用コネクタであって、
前記ケーブル収容部に配され、金属製の補強板における一対のロック用突起部であって、該ロック用突起部の一方の裾が前記接続端部の一方の端面を含む平面と共通の平面内にあるように該補強板の両側面にそれぞれ、形成される一対のロック用突起部を有するケーブルの接続端部を電気的に配線基板に接続する複数のコンタクト端子と、
前記ケーブル収容部の外郭部を形成するシェル部材と、
前記シェル部材と一体に形成され、前記ケーブル収容部に挿入された前記ケーブルの前記補強板の側面と該ケーブル収容部を形成する壁部の内面との間に、該ケーブルの収容部の開口端部から内方に向けて延在し、前記補強板の側面に当接する当接部を先端に有し、該ケーブルの接続端部が該ケーブル収容部に保持される場合、該当接部が該ケーブルの前記一対のロック用突起部の他方の裾の位置近傍に当接し該ケーブルを保持するとともに、該ケーブルの接続端部が該ケーブル収容部から取り外される場合、該当接部が該ケーブルの接続端部の移動に応じて前記ロック用突起部に対し離隔し該ケーブルを解放する弾性変位可能な薄板状の一対のロック／アンロック用可動片と、を備え、
前記一対のロック／アンロック用可動片の当接部が該ケーブルの前記一対のロック用突起部の他方の裾の位置近傍に当接し該ケーブルを保持する場合、該当接部は、前記ケーブルの接続端部の電極部に当接した前記コンタクト端子の接点部における該ケーブルの着脱方向に沿った位置よりも前記ケーブル収容部の開口端部に相対向する該ケーブル収容部を形成する壁部近傍に位置することを特徴とするケーブル用コネクタ。
【請求項２】
前記一対のロック／アンロック用可動片は、前記補強板の側面に対し所定の傾斜角度で交わることを特徴とする請求項１記載のケーブル用コネクタ。
【請求項３】
前記一対のロック／アンロック用可動片は、金属材料で作られることを特徴とする請求項１記載のケーブル用コネクタ。
【請求項４】
接続端部に接合される金属製の補強板を有するとともに、該補強板の両側面にそれぞれ形成される一対のロック用突起部であって、該ロック用突起部の一方の裾が該接続端部の一方の端面を含む平面と共通の平面内にある該一対のロック用突起部を有するケーブルと、
一方の端部に開口部を有し前記ケーブルの接続端部を着脱可能に収容するケーブル収容部を有するとともに、該ケーブルの接続端部を電気的に配線基板に接続するコンタクト端子群を該ケーブル収容部に有するコネクタ本体部と、前記コネクタ本体部に支持されるシェル部材と、
前記シェル部材と一体に形成され、前記ケーブル収容部に挿入された前記ケーブルの前記補強板の側面と該ケーブル収容部を形成する壁部の内面との間に、該ケーブルの収容部の開口端部から内方に向けて延在し、前記補強板の側面に当接する当接部を先端に有し、該ケーブルの接続端部が該ケーブル収容部に保持される場合、該当接部が該ケーブルの前記一対のロック用突起部の他方の裾の位置近傍に当接し該ケーブルを保持するとともに、該ケーブルの接続端部が該ケーブル収容部から取り外される場合、該当接部が該ケーブルの接続端部の移動に応じて前記ロック用突起部に対し離隔し該ケーブルを解放する弾性変位可能な薄板状の一対のロック／アンロック用可動片と、を備え、
前記一対のロック／アンロック用可動片の当接部が該ケーブルの前記一対のロック用突起部の他方の裾の位置近傍に当接し該ケーブルを保持する場合、該当接部は、前記ケーブルの接続端部の電極部に当接した前記コンタクト端子の接点部における該ケーブルの着脱方向に沿った位置よりも前記ケーブル収容部の開口端部に相対向する該ケーブル収容部を形成する壁部近傍に位置することを特徴とするケーブル接続構造。
【請求項５】
前記一対のロック／アンロック用可動片は、前記補強板の側面に対し所定の傾斜角度で交わることを特徴とする請求項４記載のケーブル接続構造。
【請求項６】
前記一対のロック／アンロック用可動片および前記シェル部材は、それぞれ、金属材料で作られることを特徴とする請求項４記載のケーブル接続構造。
【請求項７】
前記ケーブルの補強板が、前記ケーブル収容部を形成する壁部に対し付勢する弾性片を有することを特徴とする請求項４記載のケーブル接続構造。
【発明の詳細な説明】
【技術分野】
【０００１】
本発明は、補強板を有するケーブルを着脱可能に接続できるケーブル接続構造、および、ケーブル用コネクタに関する。
【背景技術】
【０００２】
電子機器内部における電装部品相互間の電気的接続を行うにあたり、ケーブル用コネクタが実用に供されている。ケーブル用コネクタは、例えば、特許文献１にも示されるように、フレキシブル基板の被挿入部における補強板の両側端部に凸状に形成される被係合部を保持するように弾性変位可能な一対の係合部を有するハウジングを備えるケーブル用コネクタが知られている。
【０００３】
特許文献１において、上述のケーブル用コネクタとしてのフレキシブル基板コネクタのハウジングは、開口部を有する門型状にモールド樹脂で形成されている。ハウジングの開口部内部には、フレキシブル基板の接続端子に接続される複数の接点ピンが配置されている。上述のハウジングにおける一対の係合部は、それぞれ、開口部内部の両端部近傍部に、ハウジングの両側部の外側または内側方向へ弾性変形自在に形成され、上述の被係合部を収める凹部を備えている。この各係合部は、開口部の奥側から開口部端部に向けて延在している。
【０００４】
斯かる構成において、フレキシブル基板の被挿入部の被係合部が上述のハウジングの係合部に保持される場合フレキシブル基板の被挿入部が、ハウジングの開口部内の一対の係合部相互間に挿入された後、上述の被係合部がその弾性力に抗して係合部の先端に当接され互いに離隔する方向に押し広げる。そして、フレキシブル基板の被挿入部が、同一方向にさらに押し込まれるとき、被係合部が係合部の凹部内に収まり係合部に対し係合状態とされる。一方、フレキシブル基板の被挿入部をハウジングの係合部から取り外す場合、フレキシブル基板の被挿入部の被係合部が係合部の凹部から離脱されるようにその弾性力に抗してフレキシブル基板が引っ張られることによってフレキシブル基板の被挿入部がハウジングの係合部から容易に取り外されることとなる。
【先行技術文献】
【特許文献】
【０００５】
【特許文献１】特開２００７−２３４５２５号公報
【発明の概要】
【発明が解決しようとする課題】
【０００６】
しかしながら、上述の特許文献１に示されるように、フレキシブル基板の被挿入部の被係合部がハウジングの係合部に選択的に保持されるような構成の場合、フレキシブル基板の被挿入部の被係合部がフレキシブル基板の被挿入部における中間部に形成され、かつ、ハウジングの係合部における凹部の位置が、特許文献１における図１に示されるように、上述の複数の接点ピンの接点部の位置よりも上述のハウジングの開口部の開口端部近傍に近接する位置とされることにより、ハウジングにおいては、フレキシブル基板の被挿入部の先端部から被係合部までの部分を収容する長さを必要とするのでフレキシブル基板コネクタにおけるフレキシブル基板の着脱方向に沿った全長を従来のコネクタにおいて対応する全長よりも縮小させることにも限界がある。
【０００７】
以上の問題点を考慮し、本発明は、補強板を有するケーブルを着脱可能に接続できるケーブル接続構造、および、ケーブル用コネクタであって、フレキシブル基板コネクタにおけるフレキシブル基板の着脱方向に沿った全長を縮小するように、ケーブルの接続端部の被係合部のロック位置を設定できるケーブル接続構造、および、ケーブル用コネクタを提供することを目的とする。
【課題を解決するための手段】
【０００８】
上述の目的を達成するために、本発明に係るケーブル用コネクタは、一方の端部に開口部を有しケーブルの接続端部を着脱可能に収容するケーブル収容部を有するケーブル用コネクタであって、ケーブル収容部に配され、金属製の補強板における一対のロック用突起部であって、ロック用突起部の一方の裾が接続端部の一方の端面を含む平面と共通の平面内にあるように補強板の両側面にそれぞれ、形成される一対のロック用突起部を有するケーブルの接続端部を電気的に配線基板に接続する複数のコンタクト端子と、ケーブル収容部の外郭部を形成するシェル部材と、シェル部材と一体に形成され、ケーブル収容部に挿入されたケーブルの前記補強板の側面とケーブル収容部を形成する壁部の内面との間に、ケーブルの収容部の開口端部から内方に向けて延在し、補強板の側面に当接する当接部を先端に有し、ケーブルの接続端部がケーブル収容部に保持される場合、当接部がケーブルの一対のロック用突起部の他方の裾の位置近傍に当接しケーブルを保持するとともに、ケーブルの接続端部がケーブル収容部から取り外される場合、当接部がケーブルの接続端部の移動に応じてロック用突起部に対し離隔しケーブルを解放する弾性変位可能な薄板状の一対のロック／アンロック用可動片と、を備え、一対のロック／アンロック用可動片の当接部がケーブルの一対のロック用突起部の他方の裾の位置近傍に当接しケーブルを保持する場合、当接部は、ケーブルの接続端部の電極部に当接したコンタクト端子の接点部におけるケーブルの着脱方向に沿った位置よりもケーブル収容部の開口端部に相対向するケーブル収容部を形成する壁部近傍に位置することを特徴とする。
【０００９】
また、本発明に係るケーブル接続構造は、接続端部に接合される金属製の補強板を有するとともに、補強板の両側面にそれぞれ形成される一対のロック用突起部であって、ロック用突起部の一方の裾が接続端部の一方の端面を含む平面と共通の平面内にある一対のロック用突起部を有するケーブルと、一方の端部に開口部を有しケーブルの接続端部を着脱可能に収容するケーブル収容部を有するとともに、ケーブルの接続端部を電気的に配線基板に接続するコンタクト端子群をケーブル収容部に有するコネクタ本体部と、コネクタ本体部に支持されるシェル部材と、シェル部材と一体に形成され、ケーブル収容部に挿入されたケーブルの補強板の側面と該ケーブル収容部を形成する壁部の内面との間に、ケーブルの収容部の開口端部から内方に向けて延在し、補強板の側面に当接する当接部を先端に有し、ケーブルの接続端部がケーブル収容部に保持される場合、当接部が該ケーブルの一対のロック用突起部の他方の裾の位置近傍に当接し該ケーブルを保持するとともに、ケーブルの接続端部がケーブル収容部から取り外される場合、当接部がケーブルの接続端部の移動に応じてロック用突起部に対し離隔しケーブルを解放する弾性変位可能な薄板状の一対のロック／アンロック用可動片と、を備え、一対のロック／アンロック用可動片の当接部がケーブルの一対のロック用突起部の他方の裾の位置近傍に当接しケーブルを保持する場合、当接部は、ケーブルの接続端部の電極部に当接したコンタクト端子の接点部におけるケーブルの着脱方向に沿った位置よりもケーブル収容部の開口端部に相対向するケーブル収容部を形成する壁部近傍に位置することを特徴とする。
【発明の効果】
【００１０】
本発明に係るケーブル接続構造、および、ケーブル用コネクタによれば、シェル部材に一体に形成された一対のロック／アンロック用可動片を、ケーブルの収容部の開口端部から内方に向けて延在させ、ロック／アンロック用可動片の当接部が、ケーブルの接続端部の電極部に当接したコンタクト端子の接点部におけるケーブルの着脱方向に沿った位置よりもケーブル収容部の開口端部に相対向するケーブル収容部を形成する壁部近傍に位置で、ケーブルの一対のロック用突起部の他方の裾の位置近傍に当接しケーブルを保持するのでケーブルにおけるケーブルの着脱方向に沿った全長を縮小するように、ケーブルの接続端部の被係合部のロック位置を設定できる。
【図面の簡単な説明】
【００１１】
【図１】本発明に係るケーブル接続構造の一例が適用されたケーブル用コネクタの要部を示す断面図である。
【図２】本発明に係るケーブル接続構造の一例が適用されたケーブル用コネクタの外観の一部を、フレキシブル配線基板の接続端部とともに示す斜視図である。
【図３】図２に示される例における正面図である。
【図４】図２に示される例におけるコネクタ本体部の一部を、シェル部材を取り外した状態で拡大して示す斜視図である。
【図５】図２に示される例において、コネクタ本体部を取り外した状態でシェル部材の一方の端部を示す斜視図である。
【図６】図２に示される例において、コネクタ本体部を取り外した状態でシェル部材の他方の端部を示す斜視図である。
【図７】図２に示される例におけるケーブル収容部を示す部分断面図である。
【図８】（Ａ）は、図２に示される例において用いられるフレキシブル配線基板の接続端部における一方の表面を示す平面図であり、（Ｂ）は、フレキシブル配線基板の接続端部における他方の表面を示す平面図である。
【図９】（Ａ）は、図８（Ａ）におけるＩＸＡ線―ＩＸＡ線に沿って示される断面図であり、（Ｂ）は、図８（Ａ）におけるＩＸＢ線―ＩＸＢ線に沿って示される断面図である。
【図１０】（Ａ）は、図２に示される例において用いられるフレキシブル配線基板の他の例における接続端部の一方の表面を示す平面図であり、（Ｂ）は、そのフレキシブル配線基板の接続端部における他方の表面を示す平面図である。
【発明を実施するための形態】
【００１２】
図２は、本発明に係るケーブル接続構造の一例が適用されたケーブル用コネクタの外観を、フレキシブル配線基板の接続端部とともに示す。
【００１３】
ケーブル用コネクタ２０は、プリント配線基板ＰＢ上に配されフレキシブル配線基板１０の接続端部が着脱されるケーブル収容部２２Ａを有するコネクタ本体部２２と、コネクタ本体部２２におけるケーブル収容部２２Ａに設けられ、プリント配線基板ＰＢの電極部とケーブルとしてのフレキシブル配線基板１０の端子部の電極部とを電気的に接続する複数のコンタクト端子２６ａｉ（ｉ＝１〜ｎ，ｎは正の整数）（図１参照）と、コネクタ本体部２２の上部を覆うようにコネクタ本体部２２に固定され協働してケーブル収容部２２Ａを形成するシェル部材２４と、を含んで構成されている。
【００１４】
フレキシブル配線基板１０の接続端部１２における導電部は、図８（Ａ）および（Ｂ）に部分的に拡大されて示されるように、保護層に覆われた複数の導電層が絶縁性基材上に形成された構成とされる。絶縁性基材は、例えば、厚さ５０μｍ程度の液晶ポリマー、ポリイミド（ＰＩ）、ポリエチレンテレフタレート（ＰＥＴ）、あるいは、ポリエーテルイミド（ＰＥＩ）で成形されている。また、導電層は、例えば、厚さ１２μｍ程度の銅合金の層で形成されている。保護層は、例えば、熱硬化型のレジスト層、あるいは、ポリイミドフィルムにより形成されている。
【００１５】
フレキシブル配線基板１０における接続端部１２の一方の表面１２Ｂには、図９（Ａ）およ（Ｂ），図８（Ｂ）に示されるように、補強板１６が導電性の接着剤などの接着層１４を介して表面１２Ｂに接着されている。板状の補強板１６は、例えば、導電性を有する所定の一様な厚さを有する薄板金属材料で作られている。約５ｍｍの短辺を有する補強板１６における一方の端面に連なる一対の側面部には、それぞれ、図１に拡大されて示されるように、外方に向けて突出するように約０．２〜０．３ｍｍの半径を有する円弧状に隆起したロック用突起部１６Ｐが、一体に形成されている。ロック用突起部１６Ｐにおける一方の裾１６Ｐａは、補強板１６における一方の端面を含む平面と共通の平面内にあるように形成されている。また、ロック用突起部１６Ｐにおける他方の裾１６Ｐｂは、上述の補強板１６の側面部における後述のロック／アンロック用可動片２４ＲＢの先端近傍に位置している。ロック用突起部１６Ｐにおける裾１６Ｐｂに連なる補強板１６の側面部からの最上端までの高さＨは、ロック／アンロック用可動片２４ＲＫおよび２４ＬＫのばね定数に応じてフレキシブル配線基板１０の着脱が容易となるように設定されている。なお、ロック用突起部１６Ｐは、一様な厚さを有する補強板として形成されているが、斯かる例に限られることなく、例えば、ロック用突起部１６Ｐの厚さが、他の部分の厚さに比べて大または小となるように形成されてもよい。
【００１６】
さらに、補強板１６は、後述するフレキシブル配線基板１０における接地用ラインに接続される電極１２Ｅｉに電気的に接続されている。
【００１７】
フレキシブル配線基板１０の接続端部１２の他方の表面１２Ａ（補強板１６に対向する面）には、例えば、端子部としての複数の電極１２Ｅｉ（ｉ＝１〜ｎ，ｎは正の整数）により構成される電極群が形成されている。隣接する各電極１２Ｅｉは、所定の相互間隔で形成されている。その電極群は、フレキシブル配線基板１０の内部の導電層に電気的に接続されている。
【００１８】
コネクタ本体部２２は、図１、図３、および、図４に示されるように、例えば、樹脂で成形されている。ケーブル収容部２２Ａは、フレキシブル配線基板１０の接続端部１２における電極群および補強板１６が通過するスリット２０ＣＳ（図７参照）を一方の端部に有している。そのスリットは、フレキシブル配線基板１０の着脱方向に対し略直交する方向に沿って延びるように形成されている。ケーブル収容部２２Ａの内側の他方の端部には、図１に示されるように、挿入されたフレキシブル配線基板１０の端面および補強板１６の端面が当接することにより、電極１２Ｅｉの後述するコンタクト端子２６ａｉの接点部２６ａに対する位置決めをする背面側壁部２２ＲＷが形成されている。背面側壁部２２ＲＷには、図４に拡大されて示されるように、後述するシェル部材２４の固定用突起部２４Ｄａが挿入される切欠部２２ＤＲｉ（ｉ＝１〜ｎ，ｎは正の整数）が所定の相互間隔で形成されている。また、背面側壁部２２ＲＷにおける切欠部２２ＤＲｉよりも上方部分には、図４に示されるように、コンタクト端子２６ａｉの連結部が挿入される貫通孔２２Ｇｉが所定の相互間隔で形成されている。
【００１９】
背面側壁部２２ＲＷに直交しケーブル収容部２２Ａを形成する側面側壁部２２ＳＷの内面とフレキシブル配線基板１０の接続端部の双方の側面部との間には、それぞれ、図１に示されるように、後述するロック／アンロック用可動片２４ＲＫおよび２４ＬＫが設けられている。
【００２０】
ケーブル収容部２２Ａの一方の端部を形成する前面側壁部２２ＦＷの開口部の周縁には、図４に示されるように、コンタクト端子２６ａｉの可動接点部の先端部が挿入される細かい溝２２ａｉ（ｉ＝１〜ｎ，ｎは正の整数）が所定の相互間隔で形成されている。溝２２ａｉは、貫通孔２２Ｇｉに対応して形成されている。また、前面側壁部２２ＦＷの両端近傍位置には、それぞれ、後述するシェル部材２４の爪部２４ＬＮが係合される孔２２ＬＧと、爪部２４ＲＮが係合される孔２２ＲＧ（図１参照）とが形成されている。さらに、前面側壁部２２ＦＷの上面部には、シェル部材２４の各固定用突起部２４Ｕａが挿入される浅い溝２２ＵＲｉが形成されている。
【００２１】
コンタクト端子２６ａｉは、半田付固定により、プリント配線基板ＰＢの導電層としての電極パッドに電気的に接続される半田付固定部と、フレキシブル配線基板１０の電極群に電気的に接続される接点部２６ａを有する可動接点部と、その可動接点部および半田付固定部とを連結する連結部とを含んで構成されている。
【００２２】
シェル部材２４は、図５および図６に部分的に拡大されて示されるように、例えば、薄板金属材料でプレス加工により一体に成形されている。シェル部材２４は、コネクタ本体部２２の上面部の溝２２ＵＲｉにそれぞれ係合される複数個の固定用突起部２４Ｕａを有する上部平坦部２４ＵＰと、上部平坦部２４ＵＰに対し略平行に対向して形成されコネクタ本体部２２の下部の切欠部２２ＤＲｉにそれぞれ挿入される複数個の固定用突起部２４Ｄａを有する下部平坦部２４ＤＰと、上部平坦部２４ＵＰと下部平坦部２４ＤＰとを空間２４Ａを形成するように連結する連結部２４ＲＢおよび２４ＬＢ（図２参照）とを含んで構成されている。
【００２３】
上部平坦部２４ＵＰは、図２に示されるように、コネクタ本体部２２の背面側壁部２２ＲＷの溝２２ＵＲｉに対応して複数個の固定用突起部２４Ｕａを所定の間隔で一方の端部に有している。上部平坦部２４ＵＰは、その長手方向の両端部に折り曲げられた固定片部２４ＲＳおよび２４ＬＳを有している。固定片部２４ＲＳおよび２４ＬＳの端部は、それぞれ、プリント配線基板ＰＢに半田付け固定される。
【００２４】
また、上部平坦部２４ＵＰにおけるコネクタ本体部２２のスリット２０ＣＳ側の端部は、所定の間隔で形成される連結部２４ＲＢおよび２４ＬＢを介して下部平坦部２４ＤＰにおける対向する端部に連結されている。
【００２５】
下部平坦部２４ＤＰは、コネクタ本体部２２の背面側壁部２２ＲＷの切欠部２２ＤＲｉに対応して複数個の固定用突起部２４Ｄａを所定の間隔で一方の端部に有している。また、下部平坦部２４ＤＰは、複数個の固定用突起部２４Ｄａのうちの両端に位置する固定用突起部２４Ｄａにそれぞれ隣接して連結部２４ＲＢおよび２４ＬＢに対向するように固定片部２４Ｄｂを有している。各固定片部２４Ｄｂは、プリント配線基板ＰＢに半田付け固定される。下部平坦部２４ＤＰは、コネクタ本体部２２の孔２２ＲＧおよび２２ＬＧにそれぞれ挿入され係止される爪部２４ＲＮおよび２４ＬＮを両端に一体に有している。
【００２６】
連結部２４ＲＢおよび２４ＬＢは、互いに同一構造を有するので連結部２４ＲＢについて説明し、連結部２４ＬＢの説明を省略する。
【００２７】
連結部２４ＲＢの一方の端部は、上部平坦部２４ＵＰの端面に連結されるとともに、連結部２４ＲＢの他方の端部は、下部平坦部２４ＤＰの端面に連結されている。連結部２４ＲＢにおけるコネクタ本体部２２のケーブル収容部２２Ａ側の側部には、弾性変位可能なロック／アンロック用可動片２４ＲＫが一体に形成されている。ロック／アンロック用可動片２４ＲＫの先端部には、他の部分の幅に比べて大なる幅を有する鉤状部２４ＲＫａが当接部として形成されている。
【００２８】
ロック／アンロック用可動片２４ＲＫは、図１に示されるように、フレキシブル配線基板１０の補強板１６の側面に対し所定の傾斜角度αで交わるように形成されている。これにより、ロック／アンロック用可動片２４ＲＫおよび２４ＬＫ相互間へのフレキシブル配線基板１０の補強板１６の挿入が容易となる。
【００２９】
フレキシブル配線基板１０の接続端部１２がケーブル収容部２２Ａ内に挿入されロック状態とされる場合、図１に示されるように、ロック／アンロック用可動片２４ＲＫにおけるフレキシブル配線基板１０の側面に当接する鉤状部２４ＲＫａは、フレキシブル配線基板１０の補強板１６におけるロック用突起部１６Ｐの裾１６Ｐｂ近傍、即ち、背面側壁部２２ＲＷ近傍位置で当接することとなる。
【００３０】
従って、ケーブル用コネクタにおけるフレキシブル配線基板１０の着脱方向に沿った全長を縮小しケーブル収容部２２Ａの大きさを極力小とするように、フレキシブル配線基板１０の接続端部１２のロック用突起部１６Ｐのロック位置を設定できることとなる。また、シェル部材２４と一体に形成されるロック／アンロック用可動片２４ＲＫの鉤状部２４ＲＫａがフレキシブル配線基板１０の金属製の補強板１６の側面部に当接するのでフレキシブル配線基板１０の導電部の接地用ライン、シェル部材２４、プリント配線基板ＰＢを通じて不所望なノイズが容易に除去され得る。その結果、電磁干渉対策（ＥＭＩ対策）が強化されることとなる。
【００３１】
斯かる構成において、フレキシブル配線基板１０の接続端部の電極群をコネクタ本体部２２における各コンタクト端子２６ａｉの接点部２６ａに電気的に接続するにあたっては、スリット２０ＣＳを通じて図１において矢印Ｍの示す方向に挿入された接続端部は、図１に二点鎖線で示されるように、ロック用突起部１６Ｐがロック／アンロック用可動片２４ＲＫおよび２４ＬＫをその弾性力に抗して側面側壁部２２ＳＷ側に向けて押圧しロック／アンロック用可動片２４ＲＫおよび２４ＬＫの鉤状部２４ＲＫａおよび２４ＬＫａ相互間を通過した後、さらに、補強板１６の先端がケーブル収容部２２Ａの後方側を形成する背面側壁部２２ＲＷの内面に当接するまで挿入される。これにより、ロック／アンロック用可動片２４ＲＫおよび２４ＬＫは、その復元力により、補強板１６の側面部に当接するのでフレキシブル配線基板１０の接続端部が、ケーブル収容部２２Ａに対しロック状態とされる。その際、ロック／アンロック用可動片２４ＲＫおよび２４ＬＫの先端に形成される当接部として鉤状部２４ＲＫａの先端位置が、図１に示されるように、フレキシブル配線基板１０の接続端部の電極群に当接した各コンタクト端子２６ａｉの接点部２６ａの位置よりもケーブル収容部２２Ａの開口端部から離隔する方向であって背面側壁部２２ＲＷ近傍に位置とされ、ケーブル収容部２２Ａ内に挿入されるフレキシブル配線基板１０の接続端部における先端から鉤状部２４ＲＫａの先端が当接するまでの必要とされる長さをより短く設定することができる。従って、ケーブル収容部２２Ａにおけるフレキシブル配線基板１０の着脱方向の長さを縮小できる。
【００３２】
一方、フレキシブル配線基板１０をコネクタ本体部２２から取り外すにあたっては、フレキシブル配線基板１０が図１において矢印ＤＭの示す方向に引っ張られることによって、ロック用突起部１６Ｐがロック／アンロック用可動片２４ＲＫおよび２４ＬＫをその弾性力に抗して側面側壁部２２ＳＷ側に向けて押圧しロック／アンロック用可動片２４ＲＫおよび２４ＬＫの鉤状部２４ＲＫａおよび２４ＬＫａ相互間を通過することにより、フレキシブル配線基板１０がコネクタ本体部２２から取り外される。
【００３３】
上述のフレキシブル配線基板１０の一例においては、補強板１６は、孔のない均等な厚さを有する平板であるが、斯かる例に限られることなく、例えば、図１０（Ａ）および（Ｂ）に示されるように、補強板３６が、シェル部材２４の下部平坦部２４ＤＰを押圧する複数個の弾性片３６Ｃを有するものでもよい。これにより、フレキシブル配線基板３０の接続端部が、ケーブル収容部２２Ａに対しロック状態とされる場合、コンタクト端子２６ａｉの接点部２６ａとフレキシブル配線基板３０の接続端部の電極部との電気的接続が所定の圧力で確実となる。
【００３４】
図１０（Ａ）および（Ｂ）において、フレキシブル配線基板３０の接続端部１２における導電部は、上述の例と同様に、保護層に覆われた複数の導電層が絶縁性基材上に形成された構成とされる。
【００３５】
フレキシブル配線基板３０における接続端部３２の一方の表面３２Ｂには、図１０（Ａ）および（Ｂ）に示されるように、補強板３６が接着層を介して表面３２Ｂに接着されている。板状の補強板３６は、例えば、導電性を有する薄板金属材料で所定の厚さに作られている。補強板３６における一方の端面に連なる一対の側面部には、それぞれ、外方に向けて突出するように約０．２〜０．３ｍｍの半径を有した円弧状に隆起したロック用突起部３６Ｐが一体に形成されている。ロック用突起部３６Ｐにおける一方の裾は、補強板３６における一方の端面を含む平面と共通の平面内にあるように形成されている。また、ロック用突起部３６Ｐにおける他方の裾は、上述の補強板３６の側面部における上述のロック／アンロック用可動片２４ＲＫの先端近傍に位置している。ロック用突起部３６Ｐにおける側面部からの最上端までの高さは、ロック／アンロック用可動片２４ＲＫおよび２４ＬＫのばね定数に応じてフレキシブル配線基板３０の着脱が容易となるように設定されている。さらに、補強板３６は、フレキシブル配線基板３０における接地用ラインに接続される電極３６Ｅｉに電気的に接続されている。補強板３６は、図１０（Ｂ）に示されるように、複数の弾性片３６Ｃがその端面に沿って一列に所定の間隔で形成されている。フレキシブル配線基板３０の接続端部が、ケーブル収容部２２Ａに対しロック状態とされる場合、複数の弾性片３６Ｃは、シェル部材２４の下部平坦部２４ＤＰを押圧することとなる。弾性片３６Ｃの一端は、補強板３６の他の部分と一体に形成されている。各弾性片３６Ｃの他端の周囲には、開口部３６ａが形成されている。これにより、フレキシブル配線基板３０の接続端部がケーブル収容部に保持される場合、弾性片３６は、補強板３６の表面と共通の平面内にあるように変位されるのでケーブル収容部の低背化も図られる。
【００３６】
フレキシブル配線基板３０の接続端部３２の他方の表面３２Ａ（補強板３６に対向する面）には、例えば、端子部としての複数の電極３６Ｅｉ（ｉ＝１〜ｎ，ｎは正の整数）により構成される電極群が形成されている。隣接する各電極３６Ｅｉは、所定の相互間隔で形成されている。その電極群は、フレキシブル配線基板３０の内部の導電層に電気的に接続されている。
【符号の説明】
【００３７】
１０、３０    フレキシブル配線基板
１６、３６    補強部材
１６Ｐ、３６Ｐ    ロック用突起部
２２    コネクタ本体部
２２Ａ    ケーブル収容部
２４    シェル部材
２４ＲＢ，２４ＬＢ    連結部
２４ＲＫ，２４ＬＫ    ロック／アンロック用可動片
２６ａｉ    コンタクト端子
【図１】
2011258343.tif 000003
【図２】
2011258343.tif 000004
【図３】
2011258343.tif 000005
【図４】
2011258343.tif 000006
【図５】
2011258343.tif 000007
【図６】
2011258343.tif 000008
【図７】
2011258343.tif 000009
【図８】
2011258343.tif 000010
【図９】
2011258343.tif 000011
【図１０】
2011258343.tif 000012